(57)【要約】      （修正有）【課題】画像形成装置が出力する印刷物に含まれている可能性がある参照画像を効率的に検出することができる画像読取装置を提供する。【解決手段】読取装置はプリンター装置が出力した印刷物を読み取ってスキャンデータを生成したら（Ｓ５０１：ＹＥＳ）、印刷ジョブに含まれている画像データをラスタライズ処理したＲＩＰデータから、画像形成に供する印刷データを生成した際の変倍率Ｍをプリンター装置から取得する（Ｓ５０２）。参照画像を検知する際には、変倍率Ｍの逆数である（１／Ｍ）の変倍率でスキャンデータを変倍した逆変倍データを生成し（Ｓ５０６）、当該逆変倍データに参照画像が含まれているかを検知する。参照画像が含まれている場合には（Ｓ５０７：ＹＥＳ）、スキャンデータ等を破棄する（Ｓ５１３）。【選択図】図５
2020088827.tif 000002
【特許請求の範囲】
【請求項１】
画像形成装置が出力した印刷物から読み取って得られたスキャンデータを取得するスキャンデータ取得手段と、
前記印刷物を画像形成した際の変倍率を取得する変倍率取得手段と、
前記変倍率取得手段にて取得した変倍率の逆数の逆変倍率で、前記スキャンデータを変倍した逆変倍データを生成する逆変倍手段と、
所定の参照画像と比較することにより、前記逆変倍データに前記所定の参照画像が含まれているか否かを判定する判定手段と、を備える
ことを特徴とする画像読取装置。
【請求項２】
前記判定手段の判定結果が肯定的である場合に、前記スキャンデータおよび前記逆変倍データを破棄する破棄手段を備える
ことを特徴とする請求項１に記載の画像読取装置。
【請求項３】
前記判定手段の判定結果が肯定的である場合に、前記変倍率取得手段にて取得した変倍率が、等倍を含む所定の範囲内の変倍率である場合には、前記印刷物の本装置外への出力を禁止する出力禁止手段を備える
ことを特徴とする請求項１または２に記載の画像読取装置。
【請求項４】
前記画像形成装置は、ＲＩＰデータを変倍して印刷データを生成する印刷データ生成手段と、前記印刷データに前記所定の参照画像が含まれているか否かを判定する印刷データ判定手段と、を有しており、
前記画像形成装置から、前記印刷データ判定手段による判定結果を取得する判定結果取得手段と、
前記出力禁止手段は、更に、
前記判定結果取得手段にて取得した判定結果が肯定的である場合に、前記変倍率取得手段にて取得した変倍率が、等倍を含む所定の範囲内の変倍率である場合にも、前記印刷物の本装置外への出力を禁止する
ことを特徴とする請求項１から３のいずれかに記載の画像読取装置。
【請求項５】
前記変倍率取得手段にて取得した変倍率が等倍である場合に、前記判定手段に前記判定を禁止する判定禁止手段を備える
ことを特徴とする請求項４に記載の画像読取装置。
【請求項６】
前記禁止手段は、前記印刷物を使用不能に加工することによって、前記出力を禁止する
ことを特徴とする請求項３から５のいずれかに記載の画像読取装置。
【請求項７】
前記スキャンデータ中の有効画像領域を特定する有効画像領域特定手段を備え、
前記判定手段に、前記スキャンデータ中の有効画像領域内のみについて前記判定を実行させる判定制御手段と、
前記スキャンデータ中の有効画像領域外については、前記逆変倍手段による変倍前のスキャンデータに所定の参照画像が含まれているか否かを判定する有効画像領域外判定手段と、を備える
ことを特徴とする請求項１から６の何れかに記載の画像読取装置。
【請求項８】
前記スキャンデータは、ページ毎に、複数の検知バンドに領域分割されており、
前記逆変倍手段は、前記スキャンデータ取得手段手段が記録を完了した検知バンド単位で、当該スキャンデータを変倍し、
前記判定手段は、前記検知バンド単位で前記判定を行う
ことを特徴とする請求項１から７のいずれかに記載の画像読取装置。
【請求項９】
前記判定手段による判定結果が否定的である場合に、前記スキャンデータの品質をページ単位で確認する品質確認手段を備える
ことを特徴とする請求項１から８のいずれかに記載の画像読取装置。
【請求項１０】
前記印刷物を画像形成するためのＲＩＰデータが白紙であるか否かを判定する白紙判定手段と、
前記白紙判定手段の判定結果が肯定的である場合に、前記スキャンデータに前記所定の参照画像が含まれているか否かを判定するすり抜け判定手段と、を備える
ことを特徴とする請求項１から９のいずれかに記載の画像読取装置。
【請求項１１】
前記所定の参照画像は、等倍率に対応する参照画像である
ことを特徴とする請求項１から１０のいずれかに記載の画像読取装置。
【請求項１２】
前記参照画像は、所定の特徴を有する特徴パターンを含む
ことを特徴とする請求項１から１１のいずれかに記載の画像読取装置。
【請求項１３】
前記変倍率取得手段が取得する変倍率は、印刷ジョブにおいて指定された変倍率である
ことを特徴とする請求項１から１２のいずれかに記載の画像読取装置。
【請求項１４】
前記変倍率取得手段は、前記画像形成装置から前記変倍率を取得する
ことを特徴とする請求項１から１３のいずれかに記載の画像読取装置。
【請求項１５】
前記印刷ジョブは、前記画像形成装置が他の装置から受信したジョブである
ことを特徴とする請求項１３に記載の画像読取装置。
【請求項１６】
前記画像形成装置は、前記他の装置から通信ネットワークを経由して前記ジョブを受信する
ことを特徴とする請求項１５に記載の画像読取装置。
【発明の詳細な説明】
【技術分野】
【０００１】
本発明は、画像読取装置に関し、特に、画像形成することが禁止されている画像を検知するための処理負荷を低減する技術に関する。
【背景技術】
【０００２】
従来、画像形成装置が出力する印刷物の品質を管理するために、印刷部を読み取ったスキャンデータを用いて印刷品質のチェックを実行する読取装置が用いられている。読取装置は、印刷品質に問題が発生した可能性がある印刷物を検出すると、その旨をユーザーに通知する。通知を受けたユーザーは、読取装置に保存されているスキャンデータを参照することによって、印刷品質に問題があるか否か、印刷品質に問題がある場合にはどのような問題であるかを確認すれば、印刷をやり直したり、原因を特定して、以降の印刷物の印刷品質に問題が生じないように原因を解消したりすることができる。
【０００３】
さて、画像形成装置が出力する印刷物の中には、みだりに閲覧したり複製したりすることができないように管理すべきものもある。
【０００４】
このような問題に対して、例えば、印刷物を読み取るたびにスキャンデータに特定のマーク（標識となる画像）あるいはパターンが含まれていないかを確認して、当該マークあるいはパターンが含まれている場合には、印刷物を破砕したり、利用することができないように印刷物にマークを施したり、専用のトレイへ排紙したりする技術が提案されている（例えば、特許文献１を参照）。この従来技術によれば、閲覧や複製を規制すべき印刷物がそのまま出力されるのを抑止することができる。
【０００５】
また、画像処理装置は、紙幣等の特殊原稿の画像のパターンデータを複数種類あらかじめ登録しており、入力された画像が拡大又は縮小されている場合、等倍に戻すための逆変倍処理を行ない、等倍に戻された画像と登録された各特殊原稿のパターンデータとを比較し、この画像が特殊原稿の画像か否かを判別する。特殊原稿の画像であると判別された場合、出力する画像に色を付加しない等の偽造防止処理を施す技術も提案されている（特許文献２を参照）。
【先行技術文献】
【特許文献】
【０００６】
【特許文献１】特開２０１４−１１３７７５号公報
【特許文献２】特開２０００−２３２５７８号公報
【発明の概要】
【発明が解決しようとする課題】
【０００７】
しかしながら、画像形成装置は、画像を拡大したり縮小したりする変倍機能を備えており、変倍された印刷物においては前述の特定のマークあるいはパターンもまた変倍されるので、等倍のマークあるいはパターンだけを検出したのでは、印刷物の出力を十分に管理することができない。
【０００８】
また、このような問題に対して、さまざまな変倍率のマークあるいはパターンを用意しておき、そのようなマークあるいはパターンが含まれているかを総当たりで検出することも考えられるが、検出すべきマークあるいはパターンが多種類に亘る場合には、検出処理に時間がかかり過ぎて、画像形成装置の出力速度に追随できなくなったり、画像形成装置の生産性を低下させざるを得なくなったりして、現実的ではない。
【０００９】
また、上記２つの従来技術のうちの後者は、複写機等に原稿をセットして読み取るとともに、指定された変倍率での変倍を行う際の偽造防止に関するものであり、入力された画像が拡大又は縮小されている場合、等倍に戻すための逆変倍処理を行なう。
【００１０】
そのための変倍率は画像形成装置で指定されることになるため、自身で指定した変倍率を利用できる。しかし一旦画像形成装置から排出された用紙を印刷品質のチェックを行う読取装置で読み取る場合、読取装置は自身で画像データを編集することも、編集のためのパラメータ（変倍率含む）が指定されることもないため、禁止画像が拡大縮小された用紙が排出された場合、等倍のパターンデータでは禁止画像かどうかの判定ができない。
【００１１】
本発明は、上述のような問題に鑑みて為されたものであって、画像形成装置が出力する印刷物に含まれている可能性がある参照画像を効率的に検出することができる画像読取装置を提供することを目的とする。
【課題を解決するための手段】
【００１２】
上記目的を達成するため、本発明に係る画像読取装置は、画像形成装置が出力した印刷物から読み取って得られたスキャンデータを取得するスキャンデータ取得手段と、前記印刷物を画像形成した際の変倍率を取得する変倍率取得手段と、前記変倍率取得手段にて取得した変倍率の逆数の逆変倍率で、前記スキャンデータを変倍した逆変倍データを生成する逆変倍手段と、所定の参照画像と比較することにより、前記逆変倍データに前記所定の参照画像が含まれているか否かを判定する判定手段と、を備えることを特徴とする。
【００１３】
この場合において、前記判定手段の判定結果が肯定的である場合に、前記スキャンデータおよび前記逆変倍データを破棄する破棄手段を備えるのが望ましい。
【００１４】
また、前記判定手段の判定結果が肯定的である場合に、前記変倍率取得手段にて取得した変倍率が、等倍を含む所定の範囲内の変倍率である場合には、前記印刷物の本装置外への出力を禁止する出力禁止手段を備えてもよい。
【００１５】
また、前記画像形成装置は、ＲＩＰデータを変倍して印刷データを生成する印刷データ生成手段と、前記印刷データに前記所定の参照画像が含まれているか否かを判定する印刷データ判定手段と、を有しており、前記画像形成装置から、前記印刷データ判定手段による判定結果を取得する判定結果取得手段と、前記出力禁止手段は、更に、前記判定結果取得手段にて取得した判定結果が肯定的である場合に、前記変倍率取得手段にて取得した変倍率が、等倍を含む所定の範囲内の変倍率である場合にも、前記印刷物の本装置外への出力を禁止してもよい。
【００１６】
また、前記変倍率取得手段にて取得した変倍率が等倍である場合に、前記判定手段に前記判定を禁止する判定禁止手段を備えてもよい。
【００１７】
また、前記禁止手段は、前記印刷物を使用不能に加工することによって、前記出力を禁止してもよい。
【００１８】
また、前記スキャンデータ中の有効画像領域を特定する有効画像領域特定手段を備え、前記判定手段に、前記スキャンデータ中の有効画像領域内のみについて前記判定を実行させる判定制御手段と、前記スキャンデータ中の有効画像領域外については、前記逆変倍手段による変倍前のスキャンデータに所定の参照画像が含まれているか否かを判定する有効画像領域外判定手段と、を備えてもよい。
【００１９】
また、前記スキャンデータは、ページ毎に、複数の検知バンドに領域分割されており、前記逆変倍手段は、前記スキャンデータ取得手段が取得を完了した検知バンド単位で、当該スキャンデータを変倍し、前記判定手段は、前記検知バンド単位で前記判定を行ってもよい。
【００２０】
また、前記判定手段による判定結果が否定的である場合に、前記スキャンデータの品質をページ単位で確認する品質確認手段を備えてもよい。
【００２１】
また、前記印刷物を画像形成するためのＲＩＰデータが白紙であるか否かを判定する白紙判定手段と、前記白紙判定手段の判定結果が肯定的である場合に、前記スキャンデータに前記所定の参照画像が含まれているか否かを判定するすり抜け判定手段と、を備えてもよい。
【００２２】
また、前記所定の参照画像は、等倍率に対応する参照画像であってもよい。
【００２３】
また、前記参照画像は、所定の特徴を有する特徴パターンを含んでもよい。
【００２４】
また、前記変倍率取得手段が取得する変倍率は、印刷ジョブにおいて指定された変倍率であってもよい。
【００２５】
また、前記変倍率取得手段は、前記画像形成装置から前記変倍率を取得してもよい。
【００２６】
また、前記印刷ジョブは、前記画像形成装置が他の装置から受信したジョブであってもよい。
【００２７】
また、前記画像形成装置は、前記他の装置から通信ネットワークを経由して前記ジョブを受信してもよい。
【発明の効果】
【００２８】
このようにすれば、画像形成装置が元の画像を変倍して印刷したとしても、当該印刷物を読み取ったスキャンデータを逆変倍した逆変倍データを生成し、当該逆変倍データに禁止画像が含まれている場合には当該禁止画像も逆変倍され等倍に戻るので、等倍の参照画像を用いれば当該禁止画像を検知することができる。従って、様々な変倍率を想定して様々なサイズの参照画像を用意しておき、順次スキャンデータと比較する場合よりも禁止画像を検知するための処理負荷を低減することができる。
【００２９】
また、画像形成装置と異なる読取装置であっても、等倍以外の禁止画像を検出でき、画像形成装置が禁止画像の判定機能を有するか否かに関わらず、また変倍された禁止画像の判定機能を有するか否かに関わらず、種々の画像形成装置に装着して、拡大、縮小されても禁止画像を確実に判定できる。
【図面の簡単な説明】
【００３０】
【図１】本発明の実施の形態に係る複合機の主要な構成を示す図である。
【図２】読取制御部１０３とプリンター制御部１２２の主要なハードウェア構成を示すブロック図である。
【図３】読取制御部１０３とプリンター制御部１２２の主要な機能構成を示すブロック図である。
【図４】プリンター制御部１２２の動作を示すフローチャートである。
【図５】読取制御部１０３の動作を示すフローチャートである。
【図６】（ａ）は印刷処理の流れを表す図であり、（ｂ）は参照画像の態様と検出処理の関係を説明する表である。
【図７】印刷物を１バンド読み取る毎に参照画像を検出する変形例を説明するフローチャートである。
【図８】本発明の変形例に係る読取装置の構成を示す図である。
【図９】本発明の変形例に係る読取制御部１０３の動作を説明するフローチャートである。
【図１０】本発明の変形例に係る読取制御部１０３の動作を説明するフローチャートである。
【発明を実施するための形態】
【００３１】
以下、本発明に係る画像読取装置の実施の形態について、複合機（MFP: Multi-Function Peripheral）を例にとり、図面を参照しながら説明する。
［１］複合機の構成
まず、本実施の形態に係る複合機の構成について説明する。
【００３２】
図１に示すように、複合機１は、読取装置１００、スキャナー装置１１０、プリンター装置１２０、給紙装置１３０およびフィニッシャー装置１４０を備えており、プリンター機能やスキャナー機能、コピー機能、ファクシミリ機能、ドキュメント・サーバー機能などの機能を果たす。
【００３３】
スキャナー装置１１０は、プリンター装置１２０が備える操作パネル１２１によってユーザーから原稿の読み取り指示を受け付けると、自動原稿搬送装置（ADF: Automatic Document Feeder）１１１を用いて、原稿トレイ１１２に載置された原稿束から原稿を１枚ずつ画像読み取り部１１３へ搬送し、画像読み取り部１１３を用いて、原稿を読み取り画像データを生成する。
【００３４】
プリンター装置１２０は、いわゆるタンデム型のカラープリンターであって、制御部（以下、「プリンター制御部」という。）１２２にて印刷ジョブを受け付けると、カラー画像を形成する場合には、作像部１２３Ｙ、１２３Ｍ、１２３Ｃおよび１２３Ｋを用いてＹＭＣＫ各色のトナー像を形成して、これらのトナー像が互いに重なり合うように中間転写ベルト１２４上に静電転写（一次転写）し、カラートナー像を形成する。モノクロ画像を形成する場合には、作像部１２３Ｋのみを用いてＫ色のトナー像を形成して、中間転写ベルト１２４上に静電転写（一次転写）する。
【００３５】
中間転写ベルト１２４は矢印Ａ方向に回転走行することによってトナー像を、二次転写ローラー対１２６まで搬送する。
【００３６】
給紙装置１３０は、給紙トレイ１３１、１３２、１３３および１３４に収容されている記録シートを、ピックアップローラー１３１ｒ、１３２ｒ、１３３ｒおよび１３４ｒを用いて１枚ずつ繰り出す。繰り出された記録シートは、搬送ローラーによって搬送され、タイミングローラー１２５によってスキューを補正されるとともに、搬送タイミングを調整された後、二次転写ローラー対１２６まで搬送される。
【００３７】
二次転写ローラー対１２６には二次転写バイアス電圧が印可されており、これによって、中間転写ベルト１２４上のトナー像が記録シートへ静電転写（二次転写）される。二次転写後に中間転写ベルト１２４上に残留するトナーは、クリーニングブレード１２７によって掻き取られ廃棄される。記録シートは、定着部１２８によってトナー像を熱定着された後、搬送経路１２９を経由して、読取装置１００へ向かって搬送される。
【００３８】
読取装置１００は、搬送装置１２９から記録シートを受け付けると、ラインスキャナー１０１、１０２を用いて記録シートの表面および裏面を読み取ってカラー画像データを生成する。制御部（以下、「読取制御部」という。）１０３は、画像データに、予め記憶している参照画像が含まれているか否かに応じて経路切り替え爪１０５の姿勢を制御する。
【００３９】
搬送経路１０４を通過した記録シートは、参照画像を含む場合には経路切り替え爪１０５によって搬送経路１０７に導かれ、断裁ローラー１０８によって断裁された後、断裁屑収容部１０９に収容される。一方、参照画像が含まれていない場合には、記録シートは経路切り替え爪１０５によって搬送経路１０６へ導かれ、フィニッシャー装置１４０へ出力される。
【００４０】
フィニッシャー装置１４０は、印刷ジョブにおいて後処理が指示されているか否かに応じて経路切り替え爪１４５の姿勢を制御する。後処理が指示されていない場合には、記録シートは、搬送経路１４１を経由し、経路切り替え爪１４５によって排紙トレイ１４２へ導かれる。また、後処理が指示されている場合には、経路切り替え爪１４５は記録シートを後処理装置１４３へ導く。
【００４１】
後処理装置１４３は、印刷ジョブにおける指示に応じて、記録シート束の整合、パンチ、ステープルおよび折り等の後処理を記録シートに施す。後処理を施された記録シートは排紙トレイ１４４上へ排出される。
［２］読取制御部１０３およびプリンター制御部１２２のハードウェア構成
次に、読取制御部１０３およびプリンター制御部１２２のハードウェア構成について説明する。
（２−１）プリンター制御部１２２のハードウェア構成
図２に示すように、プリンター制御部１２２は、ＣＰＵ（Central Processing Unit）２０１、ＲＯＭ（Read Only Memory）２０２およびＲＡＭ（Random Access Memory）２０３等を備えており、複合機１に電源が投入されると、ＣＰＵ２０１は、ＲＯＭ２０２からブートプログラムを読み出して起動し、ＲＡＭ２０３を作業用記憶領域として、ＨＤＤ（Hard Disk Drive）２０４から読み出したＯＳ（Operating System）や制御プログラムを実行する。
【００４２】
ＮＩＣ（Network Interface Card）２０５は、ＬＡＮ（Local Area Network）等の通信ネットワークを経由して他の装置から印刷ジョブを受け付けたり、他の装置へ画像データを送信したりする際の通信処理を実行する。ＦＡＸインターフェイス２０６は、ファクシミリ回線を経由して、他のファクシミリ装置とファクシミリ・データの送受信を行う。
【００４３】
プリンター制御部１２２は、操作パネル１２１の動作を制御することによって、複合機１のユーザーに対して情報を提示したり、当該ユーザーから指示を受け付けたりする。当該指示には、例えば、原稿の読み取りによる画像データの生成、当該画像データを用いた複写、当該画像データを用いたファクシミリ送信、他の装置から受け付けた印刷ジョブの実行、他のファクシミリ装置から受信したファクシミリ・データの印刷出力などがある。
【００４４】
画像を形成する際には、プリンター制御部１２２は、例えば、作像部１２３Ｙ、１２３Ｍ、１２３Ｃおよび１２３Ｋを制御して、ＹＭＣＫ各色のトナー像を形成したり、定着部１２８の定着温度を制御しながら記録シートにトナー像を熱定着したりする。同様に、プリンター制御部１２２は、スキャナー装置１１０を制御して、原稿を読み取って画像データを生成させたり、給紙装置１３０を制御して、印刷ジョブで指定されたり、操作パネル１２１を用いてユーザーが指定したりした記録シートを給紙させたりする。
（２−２）読取制御部１０３のハードウェア構成
読取制御部１０３は、プリンター制御部１２２と同様に、ＣＰＵ（Central Processing Unit）２１１、ＲＯＭ（Read Only Memory）２１２およびＲＡＭ（Random Access Memory）２１３等を備えており、複合機１に電源が投入されると、ＣＰＵ２１１は、ＲＯＭ２１２からブートプログラムを読み出して起動し、ＲＡＭ２１３を作業用記憶領域として、ＨＤＤ（Hard Disk Drive）２１４から読み出したＯＳ（Operating System）や制御プログラムを実行する。
【００４５】
これによって、ＣＰＵ２１１は、ラインスキャナー１０１、１０２が原稿を読み取って出力するライン毎の画像データから画像データを生成して、参照画像の有無を判定し、当該判定結果に応じて経路切り替え爪１０５の姿勢を制御したり、断裁ローラー１０８を制御したりする。
【００４６】
また、読取制御部１０３は、タッチパネル（TP）２１５を備えており、複合機１のユーザーに対して情報を提示したり、ユーザーからの指示入力を受け付けたりすることができる。
［３］読取制御部１０３およびプリンター制御部１２２の機能構成
次に、読取制御部１０３およびプリンター制御部１２２の機能構成について説明する。
（３−１）プリンター制御部１２２の機能構成
図３に示すように、プリンター制御部１２２は、ラスター画像処理部（RIP: Raster Image Processor。以下、「ＲＩＰ部」という。）３０１、編集処理部３０２、プリンター画像検知部３０３および印字処理部３０４を備えており、これらの機能はＣＰＵ２０１が制御プログラムを実行することによって実現される。
【００４７】
ＲＩＰ部３０１は、印刷ジョブが指定する画像データからラスタライズ処理によってラスター画像データ（以下、「ＲＩＰデータ」という。）を生成する。印刷ジョブは、ＰｏｓｔｓｃｒｉｐｔやＰＤＦ（Portable Document Format）、ＸＰＳ（XML Paper Specification。XML: Extensible Markup Language）等のページ記述言語を用いて記述される。また、ＲＩＰデータはビットマップデータである。
【００４８】
編集処理部３０２は、ＲＩＰ部３０１が生成したＲＩＰデータを編集した画像データ（以下、「印刷データ」という。）を生成する。特に、印刷ジョブにおいて変倍率が指定されている場合に、ＲＩＰデータを当該変倍率だけ変倍する。なお、印刷ジョブにおいては、数値によって変倍率が指定される場合と、２ｉｎ１のようにレイアウトを指定することによって変倍率が指定される場合とがある。
【００４９】
編集処理部３０２は、読取制御部１０３からの要求に応じて、変倍率や印刷データを送信する。本実施の形態においては、印刷ジョブにおいて数値を用いて変倍率が指定されたか否かに関わらず、変倍率を表す数値を読取制御部１０３へ送信する場合を例にとって説明するが、数値以外のデータを用いて変倍率を表示してもよいことは言うまでもない。
【００５０】
プリンター画像検知部３０３は、印刷データに参照画像が含まれているか否かを検知する。本実施の形態において、参照画像とは、紙幣や証券のように複製が禁止されている証票に、当該証券の真贋を特定するために印刷された画像や、秘密漏洩を防止する必要がある文書に表された標章をいい、そのような標章には、例えば、「社外秘」や「ＣＯＮＦＩＤＥＮＴＩＡＬ」といった文字列を含むマークあるいはパターンが挙げられる。
【００５１】
プリンター画像検知部３０３は、上述のような参照画像を予め記憶しており、参照画像毎に当該参照画像と印刷データとを比較することによって、当該印刷データに当該参照画像が含まれているか否かを検知する。プリンター画像検知部３０３は、読取制御部１０３から要求に応じて、検知結果を送信する。また、プリンター画像検知部３０３は、検知結果を印字処理部３０４に通知する。
【００５２】
印字処理部３０４は、編集処理部３０２が生成した印刷データを用いて、給紙装置１３０が供給する記録シートに画像を形成する。なお、プリンター画像検知部３０３が、印刷データに参照画像が含まれているとの検知結果を通知した場合には、画像形成を実行しない。また、図３において、破線の矢印は記録シートおよび印刷物の流れを表している。
（３−２）読取制御部１０３の機能構成
読取制御部１０３は、品質確認部３１１、ログ処理部３１２および表示部３１３等を備えており、これらの機能はＣＰＵ２１１が制御プログラムを実行することによって実現される。
【００５３】
読み取り処理部３１７は、ラインスキャナー１０１、１０２を制御して、プリンター装置１２０が出力した印刷物を読み取り、画像データ（以下、「スキャンデータ」という。）を生成する。
【００５４】
逆変倍処理部３１４は、プリンター制御部１２２の編集処理部３０２から、スキャンデータに対応する印刷データの変倍率Ｍを取得して、画像記憶部３１４が記憶しているスキャンデータを逆変倍した画像データ（以下、「逆変倍データ」という。）を生成する。ここで、逆変倍とは、編集処理部３０２から取得した変倍率Ｍの逆数（１／Ｍ）の変倍率でスキャンデータを変倍する処理をいう。
【００５５】
読取画像検知部３１５は、予め記憶している参照画像を順次、画像データと比較することによって、画像データに参照画像が含まれているか否かを検知する。この画像データは、印刷データ、スキャンデータおよび逆変倍データである。なお、本実施の形態においては、読取画像検知部３１５は、プリンター画像検知部３０３が記憶する参照画像と同じが参照画像を記憶している。
【００５６】
品質確認部３１１は、編集処理部３０２から印刷データを取得して、印刷データとスキャンデータとを比較し、印刷データとスキャンデータとが一致するか否かを判定する。印刷データとスキャンデータとが一致しない場合には、印刷物が破れている等、印刷品質に問題があると推定することができる。
【００５７】
ログ処理部３１２は、印刷物毎にイメージ・ログと表示用スクリーンネイル画像を作成する。イメージ・ログには、品質確認部３１０による品質確認結果、読取画像検知部３１５による検知結果およびスキャンデータが含まれる。また、表示用スクリーンネイル画像はイメージ・ログを縮小したサムネイル画像である。
【００５８】
表示部３１３は、ログ処理部３１２が生成した表示用スクリーンネイル画像をタッチパネル２１５に一覧表示する。複合機１のユーザーがいずれかの表示用スクリーンネイル画像にタッチすると、当該表示用スクリーンネイル画像に対応するイメージ・ログがタッチパネル２１５に表示される。
【００５９】
断裁処理部３１８は、経路切り替え爪１０５の姿勢を制御して、印刷物を断裁ローラー１０８へ案内し、印刷物を断裁して、断裁屑を断裁屑収容部１０９へ廃棄する。断裁しない場合には、経路切り替え爪１０５の姿勢を制御して、印刷物をフィニッシャー装置１４０へ案内する。印刷ジョブにて後処理が指定されている場合には、印刷物は後処理ユニット１４３で後処理された後、排紙トレイ１４４へ排出される。後処理をしない場合には、印刷物はそのまま排紙トレイ１４２へ排出される。
［３］制御部１０３、１２２の動作
次に、制御部１０３、１２２の動作について説明する。
（３−１）プリンター制御部１２２の制御部１０３の動作
まず、制御部１０３の動作について説明する。
【００６０】
図４に示すように、制御部１０３は、印刷ジョブを受け付けると（Ｓ４０１：ＹＥＳ）、ＲＩＰ部３０１にて印刷ジョブに含まれる画像データからＲＩＰデータを生成し（Ｓ４１１）、編集処理部３０２にてＲＩＰデータを編集して印刷データを生成する（Ｓ４１２）。プリンター画像検知部３０３が印刷データに参照画像が含まれていると検知しなかった場合には（Ｓ４１３：ＮＯ）、当該印刷データを用いて画像形成を実行する（Ｓ４１４）。
【００６１】
読取制御部１０３の逆変倍処理部３１１から、編集処理部３０２にて印刷データを生成した際の変倍率を要求された場合には（Ｓ４０２：ＹＥＳ）、編集処理部３０２は逆変倍処理部３１１に変倍率を送信する（Ｓ４２１）。
【００６２】
読取制御部１０３の逆変倍処理部３１１、ログ処理部３１１および断裁処理部３１８からプリンター画像検知部３０３による検知結果を要求された場合には（Ｓ４０３：ＹＥＳ）、プリンター画像検知部３０３は、要求元の逆変倍処理部３１１、ログ処理部３１１または断裁処理部３１８へ検知結果を送信する（Ｓ４３１）。
【００６３】
読取制御部１０３の品質確認部３１０から印刷データを要求された場合には（Ｓ４０４：ＹＥＳ）、編集処理部３０２は、品質確認部３１０へ印刷データを送信する（Ｓ４４１）。
（３−１）読取制御部１０３の制御部１２２の動作
次に、制御部１２２の動作について説明する。
【００６４】
図５に示すように、制御部１２２は読み取り処理部３１７にて印刷物を読み取ってスキャンデータを生成したら（Ｓ５０１：ＹＥＳ）、逆変倍処理部３１４にてプリンター制御部１２２の編集処理部３０２から変倍率を取得し（Ｓ５０２）、取得した変倍率が等倍である場合には（Ｓ５０３：ＹＥＳ）、ステップＳ５０８へ進む。取得した変倍率が等倍でない場合には（Ｓ５０３：ＮＯ）、読取画像検知部３１５にてプリンター画像検知部３０３による検知結果を取得する（Ｓ５０４）。
【００６５】
プリンター画像検知部３０３による検知結果が肯定的である場合、言い換えると印刷データに参照画像が含まれているとプリンター画像検知部３０３が判定した場合には（Ｓ５０５：ＹＥＳ）、ステップＳ５１１へ進む。プリンター画像検知部３０３による検知結果が否定的である場合には（Ｓ５０５：ＮＯ）、逆変倍処理部３１４にてスキャンデータを逆変倍して逆変倍データを生成し（Ｓ５０６）、逆変倍データに参照画像が含まれているか否かを読取画像検知部３１５にて判定する。
【００６６】
読取画像検知部３１５による検知結果が肯定的である場合、言い換えると逆変倍データに参照画像が含まれている場合には（Ｓ５０７：ＹＥＳ）、ステップＳ５１１へ進む。ステップＳ５１１においては、編集処理部３０２による変倍率が所定の範囲内であるか否かを読取画像検知部３１５にて判定する。本実施の形態においては、当該所定の範囲は９５％から１０５％とするが、等倍（１００％）を含む範囲であれば他の範囲としてもよい。
【００６７】
変倍率が所定の範囲内にある場合には（Ｓ５１１：ＹＥＳ）、断裁処理部３１７にて印刷物を断裁し（Ｓ５１２）、断裁屑収容部１０９に廃棄する。例えば、印刷データが紙幣画像であって、原寸（等倍）に近い場合には、紙幣と紛らわしいため、偽札として悪用される恐れがある。そこで、変倍率が等倍に近い場合に印刷物を断裁すれば、このような悪用を防止することができる。
【００６８】
ステップＳ５１２の処理の後および変倍率が所定の範囲外である場合には（Ｓ５１１：ＮＯ）、印刷データ、スキャンデータおよび逆変倍データを破棄する（Ｓ５１３）。このようにすれば、これらのデータを利用して印刷物を複製することができなくなるので、紙幣等のように複製が禁止されている印刷物の不正な複製や文書複製による機密の漏洩を防止することができる。
【００６９】
その後、ログ処理部３１２にてイメージ・ログと表示用スクリーンネイル画像とを生成して、イメージ・ログを記録し（Ｓ５１４）、表示部３１３にて表示用スクリーンネイル画像をタッチパネル２１５に表示して（Ｓ５１４）、ステップＳ５０１へ進み、上記の処理を繰り返す。なお、スキャンデータが廃棄されている場合には、ログ処理部３１２は、スキャンデータを含まないイメージ・ログを生成する。当然ながら、スキャンデータを含まないイメージ・ログから生成される表示用スクリーンネイル画像もまたスキャンデータを含まない。
【００７０】
逆変倍データに参照画像が含まれていない場合には（Ｓ５０７：ＮＯ）、品質管理部３１１にて、プリンター制御部１２２の編集処理部３０２から印刷データを取得して（Ｓ５０８）、取得した印刷データがスキャンデータと一致するか確認する。一致する場合には（Ｓ５０９：ＹＥＳ）、印刷物の品質に問題はないと考えられるので、ステップＳ５０１へ進んで、上記の処理を繰り返す。
【００７１】
印刷データがスキャンデータと一致しない場合には（Ｓ５０９：ＮＯ）、読取画像検知部３１５はスキャンデータに参照画像が含まれているか否かを検知する。スキャンデータに参照画像が含まれている場合には（Ｓ５１０：ＹＥＳ）、断裁堀部３１７にて印刷物を断裁して（Ｓ５１２）、断裁屑収容部１０９に廃棄し、ステップＳ５１３に進む。
【００７２】
スキャンデータに参照画像が含まれていない場合には（Ｓ５１０：ＮＯ）、ログ処理部３１２にてイメージ・ログと表示用スクリーンネイル画像とを生成して、イメージ・ログを記録し（Ｓ５１４）、表示部３１３にて表示用スクリーンネイル画像をタッチパネル２１５に表示して（Ｓ５１４）、ステップＳ５０１へ進み、上記の処理を繰り返す。
［４］効果
本実施の形態による効果について説明する。
【００７３】
図６（ａ）に示すように、印刷ジョブから生成されるＲＩＰデータは、原寸または変倍された参照画像を含んでいる可能性がある。プリンター画像検知部３０３が、ＲＩＰデータを編集して生成された印刷データと、原寸の参照画像とを比較すると、原寸で印刷される紙幣などの禁止画像を検出することができる（図６（ｂ）ケース＃１）。
【００７４】
また、記録シートに禁止画像を貼付して印刷を行った場合、印刷データそのものには禁止画像が含まれていなくても、読取装置１００では、原寸の禁止画像を含んだスキャンデータが生成され、記憶されてしまう恐れがある。この場合には、読取画像検知部３１５がスキャンデータと原寸の参照画像を比較すれば、禁止画像の有無を判定することができる（図６（ｂ）ケース＃４、＃５および＃６）。
【００７５】
更に、編集処理部３０２から変倍率を取得して、スキャンデータから逆変倍データを生成し、当該逆変倍データと原寸の参照画像を比較すれば、原寸の参照画像を含むＲＩＰデータを変倍した印刷データについても、禁止画像の有無を判定することができる（図６（ｂ）ケース＃２および＃３）。
【００７６】
従って、原寸の参照画像のみを用いて禁止画像の有無を判定することができるので、変倍率を考慮して原寸以外のさまざまな変倍率の参照画像を用意しておき、順次、画像データと比較する場合よりも、禁止画像の検出に要する読取制御部１０３の処理負荷を低減し、処理時間を短縮することができる。
【００７７】
また、変倍率が等倍を含む所定の範囲内である場合には、印刷物が原寸の禁止画像を含む印刷物と紛らわしく、区別し難いため不正利用される危険性が高い。このような問題に対して、変倍率が所定の範囲内である印刷物を破棄するので、原寸の禁止画像を含む印刷物および原寸と紛らわしい禁止画像を含む印刷物の不正利用を防止することができる（図６（ｂ）ケース＃３）。
【００７８】
一方、変倍率が所定の範囲外である場合には、原寸の禁止画像とは明らかに大きさが異なっているため、原寸の禁止画像と混同されたり、不正利用されたりする恐れがないので、ユーザーの利便性を考慮して印刷出力を行う（図６（ｂ）ケース＃２）。
【００７９】
また、変倍率が等倍である場合には、プリンター画像検知部３０３にて原寸の参照画像を用いて禁止画像を検知することができるので、読取画像検知部３１５にて改めて禁止画像を検知し直す必要はない。このため、図５のステップＳ５０３のように条件分岐を行えば、読取画像検知部３１５における処理を省くことによって、読取制御部１０３の処理負荷を低減することができる（図６（ｂ）ケース＃１）。
【００８０】
また、断裁処理部３１７にて禁止画像を印刷した印刷物を断裁することによって、印刷物を使用不能に加工するので、当該印刷物を読取装置１００の装置外へ出力することができなくなる。従って、禁止画像を印刷した印刷物の不正利用を確実に防止することができる（図６（ｂ）ケース＃３から＃６）。
【００８１】
また、記録シートに禁止画像が貼付された場合、印刷データには禁止画像が含まれていないので、プリンター画像検知部３０３によって禁止画像を検知することができない。また、編集処理部３０２の変倍率が等倍である場合には、読取画像検知部３１５による検知処理は行われない。
【００８２】
更に、編集処理部３０２による変倍率が等倍でない場合には、原寸の禁止画像を含むスキャンデータを逆変倍して逆変倍データを生成するため、逆変倍データに含まれる禁止画像は原寸でなくなってしまう。従って、禁止画像に含まれる参照画像もまた原寸でなくなってしまうので、読取画像検知部３１５は原寸の参照画像を用いて禁止画像を検知することができない。このような問題に対して、本実施の形態においては、スキャンデータが印刷データと一致しない場合には（Ｓ５０９：ＮＯ）、記録シートに禁止画像が貼付されている可能性がある。
【００８３】
その場合、スキャンデータに含まれる禁止画像は原寸であることに着目して、読取画像検知部３１５が原寸の参照画像を用いて禁止画像を検知する。従って、記録シートに禁止画像が貼付されている場合であっても、禁止画像を検知して、印刷物やスキャンデータを破棄することができる。また、この場合においても、原寸の参照画像のみを用いればよいので、読取制御部１０３の処理負荷を低減することができる。
［５］変形例
以上、本発明を実施の形態に基づいて説明してきたが、本発明が上述の実施の形態に限定されないのは勿論であり、以下のような変形例を実施することができる。
（５−１）上記実施の形態においては、読み取り処理部３１７がラインスキャナー１０１、１０２を用いて印刷物の先端から後端までを読み取ってスキャンデータを生成してから図５のステップＳ５０２に進む場合を例にとって説明したが、本発明がこれに限定されないのは言うまでもなく、これに代えて次のようにしてもよい。
【００８４】
図７は、図５のフローチャートにおけるステップＳ５０６、Ｓ５０７の処理に代わる部分を示すフローチャートである。図７に示すように、ラインスキャナー１０１、１０２を用いて印刷物を１バンド分読み取る毎に（Ｓ７０１）、読み取った１バンド分のスキャンデータを逆変倍し（Ｓ７０２）、当該１バンド分の逆変倍データに参照画像が含まれているか読取画像検知部３１５にて検知してもよい。参照画像が含まれている場合には（Ｓ７０３：ＹＥＳ）、当該印刷物の残余の部分については読み取り処理を省略して、直ちにステップＳ５１１に進む。
【００８５】
当該１バンド分の逆変倍データに参照画像が含まれていない場合には（Ｓ７０３：ＮＯ）、当該１バンドが最終部分であるか否かを判定し、最終部分でなければ、ステップＳ７０１へ進んで、引き続く１バンドについて上記の処理を繰り返す。また、最終部分について処理を完了した場合には（Ｓ７０４：ＹＥＳ）、当該印刷物の逆変倍データには参照画像が含まれていないと判断されるので、ステップＳ５０８へ進む。
【００８６】
このようにすれば、印刷物全体を読み取ってから参照画像を検知する場合と比較して、参照画像の検知処理のスループットを向上させることができる。従って、読取装置１００の処理性能に制約されることなくプリンター装置１２０の生産性を向上させることができる。
【００８７】
なお、印刷物上で隣接するバンドどうしは互いに重なり合っていてもよく、このようにすれば、バンドどうしの境界で参照画像が分割されることによって、禁止画像の検知精度が低下するのを抑制することができる。
（５−２）上記実施の形態においては、禁止画像が印刷されている記録シートを断裁する場合を例にとって説明したが、本発明がこれに限定されないのは言うまでもなく、これに代えて次のようにしてもよい。
【００８８】
例えば、図８に示すように、読取装置１００の内部に記録シート収容部８０１を設けることによって、記録シートを断裁する代わりに保管してもよい。記録シート収容部８０１には、記録シート束を載置するためのシートトレイ８０２と、シートトレイ８０２を支持する支持部材８０３とが配設されており、支持部材８０３は、シートトレイ８０２上に載置される記録シートの枚数が多くなるほど、シートトレイ８０２の位置が低くなるように、シートトレイ８０２を支持する。
【００８９】
また、記録シート収容部８０１に収容されている記録シートに不特定多数の者がアクセスすると、禁止画像を印刷した印刷物が不正利用される恐れがある。そのようなアクセスを禁止するために、記録シート収容部８０１は、施錠されており、複合機１の管理者以外の者が、記録シート収容部８０１に収容されている記録シートにアクセスできないようになっている。
【００９０】
このようにしても、禁止画像を印刷した印刷物の不正利用を防止することができる。
（５−３）上記実施の形態においては、逆変倍処理部３１４がスキャンデータ全体を逆変倍して逆変倍データを生成する場合を例にとって説明したが、本発明がこれに限定されないのは言うまでもなく、これに代えて次のようにしてもよい。
【００９１】
例えば、逆変倍処理部３１４は、スキャンデータのうち、印字処理部３０４が印字を行う領域である有効画像領域のみを逆変倍して逆変倍データを生成してもよい。そして、読取画像検知部３１５は、逆変倍データに加えて、スキャンデータのうちの有効画像領域外についても参照画像が含まれているか否かの検知を行う。
【００９２】
なお、有効画像領域の範囲については、例えば、編集処理部３０２から取得することができる。また、スキャンデータに含まれているトンボを参照して有効画像領域を特定してもよい。トンボは、印刷物の仕上がり印刷物の仕上がり寸法や多色刷りの見当を合わせるための目印であて、見当標やレジスターマーク、トリムマークとも呼ばれる。
【００９３】
図９は、図５のフローチャートにおけるステップＳ５０６、Ｓ５０７の処理に代わる部分を示すフローチャートである。図９に示すように、逆変倍処理部３１４は、スキャンデータの有効画像領域内を逆変倍して逆変倍データを生成する（Ｓ９０１）。読取画像検知部３１５が、逆変倍データに参照画像が含まれていると検知した場合には（Ｓ９０２：ＹＥＳ）、ステップＳ５１１へ進む。
【００９４】
また、読取画像検知部３１５が、スキャンデータの有効画像領域外に参照画像が含まれていると検知した場合も（Ｓ９０３：ＹＥＳ）、ステップＳ５１１へ進む。逆変倍データにもスキャンデータの有効画像領域外にも参照画像が含まれていない場合には、ステップＳ５０８に進む。
【００９５】
このようにすれば、記録シートの有効画像領域外に相当する領域内に禁止画像が貼付されている場合に、当該禁止画像を検知することができる。
（５−４）上記変形例においては、有効画像領域内は逆変倍し、有効画像領域外は等倍で参照画像を検出する場合を例にとって説明したが、本発明がこれに限定されないのは言うまでもなく、これに代えて次のようにしてもよい。
【００９６】
例えば、ＲＩＰデータが白紙である場合には、ＲＩＰデータそのものには禁止画像は含まれていないので、逆変倍データを生成する必要はない。スキャンデータに禁止画像が含まれているとすれば、それは記録シートに禁止画像が貼付されている場合である。
【００９７】
このため、読取制御部１０３がプリンター制御部１２２からＲＩＰデータを取得して、当該ＲＩＰデータが白紙であるか否かを判定し、ＲＩＰデータが白紙である場合には、読取画像検知部３１５がスキャンデータに参照画像が含まれているか否かを検知すれば、記録シートに禁止画像を貼付して、プリンター制御部１２２による禁止画像の検知をすり抜ける不正な複製を検知して、阻止することができる。
【００９８】
図１０は、図５のフローチャートにおけるステップＳ５０１、Ｓ５０２の間に挿入される処理を示すフローチャートである。図１０に示すように、読み取り処理部３１６が印刷物を読み取ったら（Ｓ５０１：ＹＥＳ）、読取制御部１０３は、プリンター制御部１２２のＲＩＰ部３０１からＲＩＰデータを取得し（Ｓ１００１）、当該ＲＩＰデータが白紙であるか否かを判定する。
【００９９】
ＲＩＰデータが白紙でない場合には（Ｓ１００２：ＮＯ）、ステップＳ５０２へ進んで、逆変倍処理部３１４にて編集処理部３０２から変倍率を取得する。ＲＩＰデータが白紙である場合には（Ｓ１００２：ＹＥＳ）、ステップＳ５０８へ進んで、印刷データを取得する。なお、ステップＳ５０８に代えて、ステップＳ５０９へ進んでもよいが、印刷品質に問題がない場合には、スキャンデータもまた白紙であるので、読取画像検知部３１５にて参照画像を検知する必要が無いため、読取制御部１０３の処理負荷を低減するためにはステップＳ５０８に進むのが有効である。
【０１００】
このようにすれば、プリンター制御部１２２による禁止画像の検知をすり抜ける不正な複製が行われたとしても、参照画像を検知することができるので、かかる不正を阻止することができる。
（５−５）上記実施の形態においては、品質確認部３１１が、印刷データとスキャンデータとが一致するか否かによって、印刷品質に問題があるか否かを判定する場合を例にとって説明したが、本発明がこれに限定されないのは言うまでもなく、これに代えて、或いはこれに加えて他の方法によって印刷品質を判定してもよい。本発明は、印刷品質の判定方法の如何に関わらず効果を奏することができる。
（５−６）上記実施の形態においては、読取装置１００が備えるラインスキャナー１０１、１０２がカラースキャナーである場合を例にとって説明したが、本発明がこれに限定されないのは言うまでもなく、プリンター装置１２０がモノクロプリンターである場合には、ラインスキャナー１０１、１０２もまたモノクロスキャナーであってもよい。この場合にも本発明を適用してその効果を得ることができる。
（５−７）上記実施の形態においては特に言及しなかったが、複合機１は、ユーザーが使用を開始するに先立って、ユーザー認証を行ってもよく、読取装置１００のログ処理部３１２は、プリンター装置１２０から当該ユーザーのログイン名を取得して、イメージ・ログに当該ログイン名を記入してもよい。このようにすれば、禁止画像を不正に印刷しようとしたユーザーを特定し易くなるので、かかる不正行為をしないように牽制することができる。
（５−８）上記実施の形態においては、ログ処理部３１２がイメージ・ログおよび表示用スクリーンネイル画像を保存する方法については特に言及しなかったが、イメージ・ログおよび表示用スクリーンネイル画像はＨＤＤ２１４に保存してもよいし、読取制御部１０３にカード・リーダー・ライターを搭載して、コンパクトフラッシュ（登録商標）やスマートメディアなどのメモリカードに保存してもよい。
【０１０１】
読取制御部１０３に挿抜可能な記憶装置にイメージ・ログ等を保存する場合であっても、本発明によれば禁止画像を効率よく検知して、イメージ・ログ等から禁止画像を含むスキャンデータを削除することができるので、禁止画像の不正利用を確実に防止することができる。
（５−９）上記実施の形態においては、複合機１を例にとって説明したが、本発明がこれに限定されないのは言うまでもなく、スキャナー装置１１０やフィニッシャー装置１４０を除外した構成の複合機であってもよいし、ファクシミリ機能を除外してもよい。また、プリンター装置１２０がタンデム型のカラープリンターである場合を例にとって説明したが、プリンター装置１２０はタンデム型以外のカラープリンターであってもよいし、モノクロプリンターであってもよい。
【０１０２】
少なくとも読取装置１００、プリンター装置１２０および給紙装置１３０を備えた装置であれば、本発明を適用して上述のような効果を得ることができる。
（５−１０）上記実施の形態においては、印刷ジョブをＮＩＣ（Network Interface Card）２０５により、ＬＡＮ（Local Area Network）等の通信ネットワークを経由して受信する場合を例にとって説明したが、Bluetooth（登録商標）など他の通信手段で受信しても良い。
【産業上の利用可能性】
【０１０３】
本発明に係る画像読取装置は、画像形成することが禁止されている画像を検知するための処理負荷を低減したい装置として有用である。
【符号の説明】
【０１０４】
１………複合機
１００…読取装置
１０１、１０２…ラインスキャナー
１０３…読取制御部
１０５…経路切り替え爪
１０８…断裁ローラー
１２２…プリンター制御部
３０２…編集処理部
３０３…プリンター画像検知部
３１４…逆変倍処理部
３１５…読取画像検知部
３１７…断裁処理部
【図１】
2020088827.tif 000003
【図２】
2020088827.tif 000004
【図３】
2020088827.tif 000005
【図４】
2020088827.tif 000006
【図５】
2020088827.tif 000007
【図６】
2020088827.tif 000008
【図７】
2020088827.tif 000009
【図８】
2020088827.tif 000010
【図９】
2020088827.tif 000011
【図１０】
2020088827.tif 000012